(57)【要約】【課題】簡易かつ確実に装着することができ、スリーブと電線の接続部を保護することができるスリーブカバーを提供する。【解決手段】スリーブカバー１は、蛇腹状の円筒を半割りした２つの半円筒体２ａ、２ｂから成るカバー本体２と、カバー本体２を結合させて閉じた状態に保持する結合手段としての係合部３及び係合受け部４とを備える。【選択図】図１
2009043666.tif 000002
【特許請求の範囲】
【請求項１】
複数の電線を電気的に接続するスリーブの該電線が挿入される挿入部を覆うスリーブカバーであって、
蛇腹状の円筒を半割りした２つの半円筒体が開閉自在に連結されたカバー本体と、
前記カバー本体を結合させて閉じた状態に保持する結合手段と
を備えることを特徴とするスリーブカバー。
【請求項２】
請求項１記載のスリーブカバーにおいて、
前記結合手段は、前記カバー本体に設けられた係合部と係合受部であることを特徴とするスリーブカバー。
【請求項３】
請求項１又は２記載のスリーブカバーにおいて、
前記結合手段は、複数の結合位置のいずれかで前記カバー本体を結合させることを特徴とするスリーブカバー。
【請求項４】
請求項１乃至請求項３のいずれか１項記載のスリーブカバーを備えることを特徴とするスリーブ。
【発明の詳細な説明】
【技術分野】
【０００１】
本発明は、スリーブの該接続部を保護するスリーブカバー及びこれを備えたスリーブに関する。
【背景技術】
【０００２】
従来、この種のスリーブカバーとしては、金属製のスリーブの外周を覆うように設けられた電気絶縁材料からなる被覆部から一体的に延長して設けられた突出部からなるものが知られている（特許文献１参照）。かかるスリーブカバーによれば、スリーブから該スリーブに挿入された電線の端部側までカバーによって覆われる。すなわち、電線のうち被覆を剥いでスリーブに挿入される芯線、その未挿入部分及び被覆部分の端部がカバーによって覆われる。そのため、被覆を剥いでスリーブに挿入された電線の芯線部分に応力が働き、電線が折れ曲がることを防ぎ、電線の損傷を低減する。
【特許文献１】特開２０００−３２３１９９号公報
【発明の開示】
【発明が解決しようとする課題】
【０００３】
しかしながら、従来のスリーブカバーでは、スリーブの外周を覆うように設けられた被覆部と一体的に設けられた突出部によって形成されるため、スリーブ内に芯線を挿入する際に、芯線が突出部に引っ掛かり挿入しづらい。また、電線の被覆部分は芯線よりも大径であり、かかる被覆部分をもスリーブ内へ挿入させることは困難であり、スリーブへの接続作業の負担が大きい。さらに、被覆部分の厚みが電線の種類によって相違する場合には、突出部に電線の被覆部分を挿入することができなかったり、突出部の内壁と挿入された電線の被覆部分との間に間隙が生じて、電線の芯線部分に応力が働いて電線が折れ曲がる恐れがある。
【０００４】
また、何より従来のスリーブカバーは円筒形状であるため、スリーブ接続の際に装着しなければ後付けすることができない。すなわち、スリーブカバーは、事前に電線に通して置くか、スリーブを覆わせて置かなければ、スリーブと電線を接続した後に装着することはできない。そのため、既にあるスリーブと電線との接続部分には用いることができない。
【０００５】
そこで、本発明は、簡易かつ確実に装着することができ、スリーブと電線の接続部を保護することができるスリーブカバー及びこれを備えたスリーブを提供することを目的とする。
【課題を解決するための手段】
【０００６】
本発明は、複数の電線を電気的に接続するスリーブの該電線が挿入される挿入部を覆うスリーブカバーであって、蛇腹状の円筒を半割りした２つの半円筒体が開閉自在に連結されたカバー本体と、前記カバー本体を結合させて閉じた状態に保持する結合手段とを備えることを特徴とする。
【０００７】
本発明のスリーブカバーによれば、カバー本体が２つの半円筒体が開閉自在に連結されてなるため、開いた状態のカバー本体にスリーブと電線の接続部分を配置し、カバー本体を閉じることで、簡易に装着することができる。また、カバー本体は、結合手段により閉じた状態に保持されるため確実に装着することができ、これによりスリーブと電線の接続部を保護することができる。さらに、かかるスリーブカバーによれば、カバー本体が２つの半円筒体で構成されて開放可能であるため、既にスリーブと電線が接続されている接続部分にも適用することができる。
【０００８】
前記結合手段は、前記カバー本体に設けられた係合部と係合受部であることが好ましい。これにより、カバー本体を閉じた状態に保持する構成を簡易に実現することができる。
【０００９】
また、前記結合手段は、複数の結合位置のいずれかで前記カバー本体を結合させることが好ましい。結合手段を、複数の結合位置で結合可能に構成することがで、スリーブに挿入される電線の太さが相違する場合にも、該電線にカバーを密着させた状態で保持することができる。これにより、カバーと電線との間に間隙が生じて、電線の芯線部分に応力が働いて電線が折れ曲がることを確実に防止することができる。
【００１０】
また、本発明のスリーブは、前記スリーブカバーを備えたことを特徴とする。スリーブが、前述の機能を有するスリーブカバーを備えさせることにより、スリーブとスリーブカバーとの組み合わせを意識することなく、スリーブに挿入された電線を簡易かつ確実に保護することができる。
【発明を実施するための最良の形態】
【００１１】
以下で、説明する実施形態のスリーブカバーは、スリーブとスリーブに接続される電線の接続部を保護するスリーブカバー及びこれを備えたスリーブである。
【００１２】
図１に示すように、本実施形態のスリーブカバー１は、蛇腹状の円筒を半割りした２つの半円筒体２ａ、２ｂから成るカバー本体２と、カバー本体２を結合させて閉じた状態に保持する結合手段としての係合部３及び係合受け部４とを備える。
【００１３】
カバー本体２は、取り付けられるスリーブの全長の約２倍の長さであって、絶縁性及び耐候性を有する合成樹脂製の部材によって構成され、その剛性により軸方向での湾曲が抑制される。カバー２本体の２つの半円筒体２ａ、２ｂは、その円弧の一端部が一部繋がって連結した形で一体成型されており、該連結部を支点に開閉自在となっている。また、半円筒体２ａ、２ｂ結合して閉じた際に、その蛇腹部分の凹凸が互いに重なり合うように、その凹凸位置が軸方向で一致している。
【００１４】
係合部３及び係合受け部４は、半円筒体２ａ、２ｂの円弧の他端部側に、複数対３ａ―４ａ、３ｂ―４ｂ，３ｃ―４ｃ設けられている。係合部３は、爪部３１を有し、係合受け部４は、爪部３１が係合可能な矩形の貫通孔４１，４２，４３が所定の間隔を隔てて円周上に複数配置されている。
【００１５】
次に、本実施形態のスリーブカバー１の使用方法について図２を参照して説明する。
【００１６】
図２（ａ）に示すように、まず、スリーブＸに接続して電線Ｙを圧縮固定する配電作業を行う作業者は、電線Ｙの端部側の被覆Ｙ１を剥いて、その芯線Ｙ２を所定の幅だけ剥き出しにする。ここで、剥かれる被覆部分の幅は、スリーブＸの全長の１／２よりも若干長くする。すなわち、スリーブＸの両側から２つの電線Ｘの芯線Ｙ２を挿入した際に、各芯線Ｙ２がスリーブＸから若干食み出るようにする。芯線Ｙ２のスリーブＸ内への挿入が不十分で、スリーブＸを潰して圧縮固定した際に、電線ＹとスリーブＸとの電気的接続に不具合が生じないようにするためである。
【００１７】
次いで、図２（ｂ）に示すように、作業者は、スリーブＸの両側に電線Ｙの芯線Ｙ２部分を挿入する。このとき、前述のように、電線Ｙの芯線Ｙ２の部分は、スリーブＸ内へ挿入した際に、スリーブＸから若干食み出た状態となる。この状態でスリーブＸを図示しない圧縮工具等を用いて潰すことによりスリーブＸと電線Ｙとを圧縮固定する。
【００１８】
そして、作業者は、図２（ｃ）に示すように、スリーブＸ及び各電線Ｙとの接続部分を覆うようにスリーブカバー１を取り付ける。
【００１９】
具体的に、作業者は、スリーブカバー１の半円筒体２ａ、２ｂを開き、スリーブＸ及び各電線Ｙとの接続部分をその中に配置した上で、半円筒体２ａ、２ｂを閉じる。このとき、係合部３の爪部３１が係合受け部４の貫通孔４１に係合する。これにより、カバー本体２の２つの半円筒体２ａ、２ｂは、その円弧の他端部側が互いに当接し、カバー本体２内への異物（雨、砂埃等）の流入が防止される。
【００２０】
さらに、電線Ｙの径が、スリーブＸの径に対して小径である場合には、電線Ｙとカバー本体２の内壁との間に間隙が生じ得る。そこで、電線Ｙが小径である場合には、図２（ｃ）左側に示すように、係合部３の爪部３１の係合位置を、貫通孔４１から貫通孔４２へ一段階進める。さらに、それでも間隙が生じている場合には、図２（ｃ）右側に示すように、貫通孔４２から貫通孔４３へさらに一段階進める。このとき、半円筒体２ａ、２ｂは、その蛇腹部分の凹凸が互いに重なり合い、その部分の径を縮径させることができる。これにより、スリーブＸに挿入される電線Ｙの太さが相違する場合にも、電線Ｙにカバー１を密着させた状態で保持することができる。
【００２１】
上記スリーブカバー１によれば、カバー本体２が２つの半円筒体２ａ、２ｂが開閉自在に連結されてなるため、開いた状態のカバー本体２にスリーブＸと電線Ｙの接続部分を配置し、カバー本体２を閉じることで簡易に装着することができる。また、カバー本体２は、係合受け部４の複数の係合位置４１〜４３で係合を維持させることができる。これにより、スリーブＸと電線Ｙとの接続部分を覆って保護するたけでなく、電線Ｙにカバー本体２を密着させた状態で保持することができる。そのため、カバー本体２と電線Ｙとの間に間隙が生じて、電線Ｙの芯線Ｙ２部分に応力が働いて電線Ｙ２が損傷することを確実に防止することができる。
【００２２】
尚、本実施形態では、スリーブカバー１をスリーブＸと独立に構成されているが、これに限定されるものではなく、図３に示すように、スリーブＸの両端部にそれぞれスリーブカバー１ａ，１ｂを一体に設けるようにしてもよい。具体的には、スリーブＸの端部が、スリーブカバー１ａ（１ｂ）の半円筒体２ａ，２ｂの一方の内壁に固定されて成る。
【００２３】
このように、スリーブカバー１ａ，１ｂが一体に設けられたスリーブＸによれば、スリーブＸの中央部にはカバーがなく、潰して圧縮固定することができる。また、既にスリーブＸに対して、スリーブカバー１ａ，１ｂが所望の位置に連結されているため、スリーブＸに電線を接続した後は、その半円筒体２ａ，２ｂのカバー本体２を閉じればよい。このように、かかるスリーブによれば、スリーブとスリーブカバーとの組み合わせやカバーの装着位置を気にすることなく、挿入された電線を簡易かつ確実に保護することができる。
【００２４】
また、本実施形態のスリーブカバー１は、蛇腹状の円筒を半割りした２つの半円筒体２ａ，２ｂでカバー本体２を構成しているが、図４及び図５に示すように、蛇腹状の円筒をスリーブカバーとして用いるようにしてもよい。
【００２５】
例えば、図４（ａ）に示す円筒形状のスリーブカバー１０Ａは、伸縮性、弾力性、絶縁性及び耐候性を有する合成樹脂製の部材によって構成され、両端部に対して中央部が大径となっている。
【００２６】
図４（ｂ）に示すように、このスリーブカバー１０Ａは、接続する電線Ｙ１又はＹ２をスリーブカバー１０Ａに挿通させておき、図示しないスリーブを介して電線Ｙ１，Ｙ２同士を接続した後、カバー１０Ａをスライドさせてその中央部がスリーブを覆うように配置される。このとき、スリーブの長さに応じてスリーブカバー１０Ａを伸延させることで、スリーブから電線Ｙ１，Ｙ２の接続部までを幅広く覆うことができる。また、小径となっている両端部が電線Ｙ１，Ｙ２を挟持することで、スリーブカバー１０Ａがスリーブ及び電線Ｙ１，Ｙ２に保持することができる。
【００２７】
さらに、図５（ａ）に示す、蛇腹状の溝部に直交する溝部１１を設けたスリーブカバー１０Ｂは、図５（ｂ）に示すように、内側に突出した溝部１１によって、小径の電線やケーブルＹにも当接できると共に、この部分によりカバーの全体又は一部を径方向に拡径させることができる。このため、径の大きさ大きさが一様でない部分にも密着させて、十分カバーすることができる。
【図面の簡単な説明】
【００２８】
【図１】実施形態のスリーブカバーを示す斜視図。
【図２】実施形態のスリーブカバーの使用方法を示す説明図。
【図３】実施形態のスリーブとスリーブカバーを一体に構成した図。
【図４】実施形態のスリーブカバーの変更例を示す図。
【図５】実施形態のスリーブカバーの他の変更例を示す図。
【符号の説明】
【００２９】
１（１ａ，１ｂ）…スリーブカバー、２…カバー本体、２ａ，２ｂ…半円筒体、３（３ａ、３ｂ，３ｃ）…係合部、４（４ａ、４ｂ，４ｃ）…係合受け部、３１…爪部、４１〜４３…貫通孔。
【図１】
2009043666.tif 000003
【図２】
2009043666.tif 000004
【図３】
2009043666.tif 000005
【図４】
2009043666.tif 000006
【図５】
2009043666.tif 000007